(57)【要約】【課題】ＬＡＮに接続されたファクシミリ装置においてファクシミリ送信処理において通信エラーが発生したときは、発生したファクシミリ装置においてユーザが指示することなく、ファクシミリ送信を異なる通信回線を用いて実行できる。【解決手段】ファクシミリ装置１２０の主制御部２０１は、ファックスモデム２１０を用いて画像データを公衆電話回線Ｌ１０を介して所定の宛先にファクシミリ送信するジョブを実行し、当該ジョブを実行したときに、例えば１回乃至５回など所定回数だけ通信エラーとなり送信できないときに、画像データ及び宛先の情報を含むジョブのデータをＬＡＮ７０を介してファクシミリサーバ装置２０に転送し、ファクシミリサーバ装置２０に公衆電話回線Ｌ１０とは異なる公衆電話回線Ｌ又はインターネット９０を介してジョブを実行させるように制御する。【選択図】図５
2005191672.tif 000002
【特許請求の範囲】
【請求項１】
ファクシミリサーバ装置が接続されたネットワーク及び第１の通信回線に接続され、上記第１の通信回線を介して画像データを送信する送信手段を備えたファクシミリ装置において、
上記送信手段を用いて画像データを所定の宛先に送信するジョブを実行し、当該ジョブを実行したときに、所定回数だけ通信エラーとなり送信できないときに、上記画像データ及び上記宛先の情報を含むジョブのデータを上記ネットワークを介して上記ファクシミリサーバ装置に転送し、上記ファクシミリサーバ装置に上記第１の通信回線とは異なる第２の通信回線を用いて上記ジョブを実行させるように制御する制御手段を備えたことを特徴とするファクシミリ装置。
【請求項２】
上記第２の通信回線は、上記ファクシミリサーバ装置に接続された通信回線であることを特徴とする請求項１記載のファクシミリ装置。
【請求項３】
上記第２の通信回線は、上記ネットワークに接続された別のファクシミリ装置に接続された通信回線であることを特徴とする請求項１記載のファクシミリ装置。
【発明の詳細な説明】
【技術分野】
【０００１】
本発明は、互いに通信回線を介して接続されたファクシミリ装置及びファクシミリサーバ装置とを備えたファクシミリシステムのためのファクシミリ装置に関する。
【背景技術】
【０００２】
例えば、公衆電話回線などの通信回線に接続されファクシミリの送受信機能を有するファクシミリサーバ装置と、パーソナルコンピュータなどのクライアント装置とがローカルエリアネットワーク（以下、ＬＡＮという。）を介して接続してなるファクシミリシステムが実用化されている。この従来技術のファクシミリシステムでは、クライアント装置からファクシミリサーバ装置に対して画像データ及び送信先情報を送信することにより、ファクシミリサーバ装置は、画像データを通信回線を介して送信先に送信する一方、ファクシミリサーバ装置が画像データを受信したときは、画像データを所定のクライアント装置に送信することにより、クライアント装置は画像データを受信する。
【０００３】
この従来技術のファクシミリサーバ装置においては、Ｇ３ファクシミリの画像データや、電子メールを用いたインターネットファクシミリの画像データを受信して、クライアント装置等に配信処理を行うことができる。また、ＬＡＮに接続されたクライアント装置からファクシミリサーバ装置における公衆回線網への詳細な送信状況を確認することを可能にするファクシミリサーバ装置が、例えば特許文献１において提案されている。具体的には、ＬＡＮに接続された各クライアントパーソナルコンピュータが要求する、ファクシミリサーバ装置から公衆回線網に対する送信状況、即ち送信中及び送信待機中の各送信の原稿枚数、解像度等を、各送信を要求しているクライアントパーソナルコンピュータのＩＰアドレスのような識別情報とともに、その通知が要求された時、又は定期的にＬＡＮ上のクライアントパーソナルコンピュータに通知する。
【０００４】
【特許文献１】特開２００２−２２３２２９号公報。
【発明の開示】
【発明が解決しようとする課題】
【０００５】
しかしながら、ＬＡＮに接続されたファクシミリ装置においてファクシミリ送信処理において通信エラーが発生したときは、発生したファクシミリ装置において再度リダイヤルの指示をユーザが行う必要があった。
【０００６】
本発明の目的は以上の問題点を解決し、ＬＡＮに接続されたファクシミリ装置においてファクシミリ送信処理において通信エラーが発生したときは、発生したファクシミリ装置においてユーザが指示することなく、ファクシミリ送信を異なる通信回線などを用いて実行できるファクシミリ装置を提供することにある。
【課題を解決するための手段】
【０００７】
本発明に係るファクシミリ装置は、ファクシミリサーバ装置が接続されたネットワーク及び第１の通信回線に接続され、上記第１の通信回線を介して画像データを送信する送信手段を備えたファクシミリ装置において、
上記送信手段を用いて画像データを所定の宛先に送信するジョブを実行し、当該ジョブを実行したときに、所定回数だけ通信エラーとなり送信できないときに、上記画像データ及び上記宛先の情報を含むジョブのデータを上記ネットワークを介して上記ファクシミリサーバ装置に転送し、上記ファクシミリサーバ装置に上記第１の通信回線とは異なる第２の通信回線を用いて上記ジョブを実行させるように制御する制御手段を備えたことを特徴とする。
【０００８】
上記ファクシミリ装置において、上記第２の通信回線は、上記ファクシミリサーバ装置に接続された通信回線であることを特徴とする。もしくは、上記ファクシミリ装置において、上記第２の通信回線は、上記ネットワークに接続された別のファクシミリ装置に接続された通信回線であることを特徴とする。
【発明の効果】
【０００９】
従って、本発明に係るファクシミリ装置によれば、上記送信手段を用いて画像データを所定の宛先に送信するジョブを実行し、当該ジョブを実行したときに、所定回数だけ通信エラーとなり送信できないときに、上記画像データ及び上記宛先の情報を含むジョブのデータを上記ネットワークを介して上記ファクシミリサーバ装置に転送し、上記ファクシミリサーバ装置に上記第１の通信回線とは異なる第２の通信回線を用いて上記ジョブを実行させるように制御する。これにより、発生したファクシミリ装置においてユーザが指示することなく、ファクシミリ送信を異なる通信回線などを用いて実行できる。それ故、通信エラーを回避してファクシミリ送信できる可能性が高くなる。
【発明を実施するための最良の形態】
【００１０】
以下、本発明に係る実施形態について図面を参照して説明する。
【００１１】
図１は、本発明に係る一実施形態である、ファクシミリ装置１２０−１乃至１２０−Ｍ、ファクシミリサーバ装置２０及びクライアントパーソナルコンピュータ３０−１乃至３０−Ｎを備えたファクシミリシステムの構成を示すブロック図である。
【００１２】
この実施形態に係るファクシミリシステムは、複数Ｎ台のクライアントパーソナルコンピュータ（以下、クライアントパーソナルコンピュータと略す。）３０−ｎ（ｎ＝１乃至Ｎ：以下、総称して符号３０を付す。）と、公衆電話回線Ｌ１０（なお、各ファクシミリ装置１２０−ｍ毎に異なる。）を介して公衆電話網８０に接続された複数Ｍ台のファクシミリ装置１２０−ｍ（ｍ＝１乃至Ｍ：以下、総称して符号１２０を付す。）と、公衆電話回線Ｌを介して公衆電話網８０に接続されたファクシミリサーバ装置２０と、メールサーバ装置５０と、インターネット９０に接続されたルータ装置６０とがＬＡＮ７０を介して接続されて構成されている。
【００１３】
この実施形態に係るファクシミリ装置１２０の主制御部２０１は、ファックスモデム２１０を用いて画像データを公衆電話回線Ｌ１０を介して所定の宛先にファクシミリ送信するジョブを実行し、当該ジョブを実行したときに、例えば１回乃至５回など所定回数だけ通信エラーとなり送信できないときに、上記画像データ（例えば、ＴＩＦＦ又はＰＤＦ形式）及び上記宛先の情報（電話番号又は電子メールアドレス）を含むジョブのデータをＬＡＮ７０を介してファクシミリサーバ装置２０に転送し、ファクシミリサーバ装置２０に公衆電話回線Ｌ１０とは異なる公衆電話回線Ｌ又はインターネット９０を介して上記ジョブを実行させるように制御することを特徴としている。
【００１４】
図１において、メールサーバ装置５０は、クライアントパーソナルコンピュータや相手先のメールサーバ装置（図示せず。）からインターネット９０及びＬＡＮ７０を介して受信し、受信した電子メールがＭＩＭＥ形式で符号化された画像データを含むときは画像データを含む電子メールを保持する。インターネット９０経由で画像データを含む電子メールを送信するときは、クライアントパーソナルコンピュータ３０からメールサーバ装置５０、ルータ装置６０及びインターネット９０を介して相手先のメールサーバ装置に送信される。
【００１５】
図２は、図１のクライアントパーソナルコンピュータ３０の構成を示すブロック図である。図２において、クライアントパーソナルコンピュータ３０は、公知のパーソナルコンピュータであって、画像データや文字データの生成や記録などの処理を実行する。本実施形態においては、クライアントパーソナルコンピュータ３０は、一例として、ファクシミリの画像データを送信し又は受信する端末装置として用いられる。主制御部１０１は具体的にはＣＰＵで構成されており、バス１１３を介して以下のハードウェア各部と接続されていてそれらを制御するほか、後述する種々のソフトウェアの機能を実行する。このクライアントパーソナルコンピュータ３０において、画像読取部１０２及び画像記録部１０３はオプションで設けられ、画像読取部１０２は、ＣＣＤ等を利用したスキャナで原稿を読み取り、白黒２値に変換したドットイメージデータを出力する。画像記録部１０３は例えば電子写真方式等のプリンタ装置であり、他のファクシミリサーバ装置からファクシミリ通信により受信したイメージデータをハードコピーとしてプリントアウトして記録したり、文字データを記録する。表示部１０４は、液晶表示装置（ＬＣＤ）又はＣＲＴディスプレイ等の表示装置であり、当該クライアントパーソナルコンピュータ３０の動作状態を表示したり、送信すべき原稿のイメージデータ、及び受信したイメージデータの表示を行う。操作部１０５は、例えばキーボードであり、文字データや指示コマンドを入力するためのものである。
【００１６】
ＲＯＭ１０６は、当該クライアントパーソナルコンピュータ３０の動作に必要であって主制御部１０１によって実行される種々のソフトウェアのプログラムを予め格納する。また、ＲＡＭ１０７は、ＳＲＡＭ、ＤＲＡＭ、ＳＤＲＡＭ等で構成され、主制御部１０１のワーキングエリアとして使用されてプログラムの実行時に発生する一時的なデータを記憶する。さらに、ハードディスクドライブ１０８は、記録媒体を内蔵する記憶装置であり、実行するアプリケーションプログラムや画像メモリを格納する。ＬＡＮインターフェース１１２は、ＬＡＮ７０に接続され、ＬＡＮ７０からの信号やデータを受信する一方、ＬＡＮ７０に対して信号やデータを送信して信号変換やプロトコル変換などのインターフェース処理を実行する。
【００１７】
図３は、図１のファクシミリサーバ装置２０の構成を示すブロック図である。図３において、ファクシミリサーバ装置２０は、従来のＧ３方式等のファクシミリ通信機能、及び電子メールを用いたファクシミリ通信機能を備えている。主制御部１は具体的にはＣＰＵで構成されており、バス１３を介して以下のハードウェア各部と接続されていてそれらを制御するほか、後述する種々のソフトウェアの機能を実行する。表示部４は、液晶表示装置（ＬＣＤ）又はＣＲＴディスプレイ等の表示装置であり、当該ファクシミリサーバ装置２０の動作状態を表示したり、送信すべき原稿のイメージデータ、及び受信したイメージデータの表示を行う。操作部５は、当該ファクシミリサーバ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１８】
ＲＯＭ６は、当該ファクシミリサーバ装置２０の動作に必要であって主制御部１によって実行される種々のソフトウェアのプログラムを予め格納する。ＲＡＭ７は、ＳＲＡＭ、ＤＲＡＭ、ＳＤＲＡＭ等で構成され、主制御部１のワーキングエリアとして使用されてプログラムの実行時に発生する一時的なデータを記憶する。ここで、ＲＡＭ７はジョブテーブル７ａを格納し、ジョブテーブル７ａは、未送信のファクシミリ送信処理毎に、各ファクシミリ処理に関する情報（送信すべき画像データの画像メモリ８における格納アドレス、宛先の電話番号又は電子メールアドレス、送信指定日時などを含む。）を格納している。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。
【００１９】
ファックスモデム１０は、公衆電話回線Ｌに接続され、通常のファクシミリ通信用のファックスモデムの機能を有するモデムである。ＮＣＵ（ネットワーク制御回路：Network Control Unit）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ベースバンド伝送方式のデジタル回線（例えば、ＩＳＤＮ回線）に接続するようにしてもよい。
【００２０】
さらに、ＬＡＮインターフェース１２は、ＬＡＮ７０に接続され、ＬＡＮ７０からの信号やデータを受信する一方、ＬＡＮ７０に対して信号やデータを送信して信号変換やプロトコル変換などのインターフェース処理を実行する。
【００２１】
以上のように構成されたファクシミリサーバ装置２０は、通常のＧ３方式等のファクシミリ通信機能、及び電子メールを用いたファクシミリ通信機能を有している。なお、画像メモリ８はイメージデータを必要に応じて記憶し、また逆に記憶しているイメージデータを必要に応じて出力する。また、ファクシミリサーバ装置２０は、上記配信先通知データに応答して、対応する画像データを上記配信先通知データで指示された配信先に配信し、ここで、配信方法は、公衆電話網Ｌを介するＩＴＵ−Ｔ勧告のＴ．３０の通信手順に基づくファクシミリ送信と、インターネット９０を介して電子メールを用いて画像データを送信するインターネットファクシミリ送信とを含む。
【００２２】
図４は図１のファクシミリ装置１２０の構成を示すブロック図である。図４のファクシミリ装置は、図３のファクシミリサーバ装置と同様の構成要素２０１乃至２１３及び公衆電話回線Ｌ１０を備えて構成されている。なお、複数のファクシミリ装置１２０−ｎ毎に、互いに異なる公衆電話回線Ｌ１０が接続されている。
【００２３】
図５は図１のファクシミリシステムにおいて実行される通信エラー時のジョブデータ転送実行処理及びジョブ変更処理を示すシーケンス図である。
【００２４】
図５において、あるファクシミリ装置１２０―ｍの主制御部２０１は、ファックスモデム２１０を用いて画像データを公衆電話回線Ｌ１０を介して所定の宛先にファクシミリ送信するジョブを実行し、当該ジョブを実行したときに、例えば１回乃至５回など所定回数だけ通信エラーとなり送信できないときに、上記画像データ（例えば、ＴＩＦＦ又はＰＤＦ形式）及び上記宛先の情報（電話番号又は電子メールアドレス）を含むジョブのデータをＬＡＮ７０を介してファクシミリサーバ装置２０に転送する。ここで、これらのジョブのデータがファクシミリ装置１２０−ｍから削除されるので、メモリ容量を回復し、他のジョブを受け付けすることができる。
【００２５】
上記ジョブのデータの転送に応答して、ファクシミリサーバ装置２０は、上記ジョブをジョブテーブル７ａに格納した後、当該ファクシミリサーバ装置２０に接続された公衆電話回線Ｌが空いているか否かを検出し、空いているときは、上記ジョブを実行し、画像データを宛先の遠隔ファクシミリ装置に送信する。ここで、自装置２０の公衆電話回線Ｌが話中であるときは、例えば、他のファクシミリ装置１２０に対して空いている公衆電話回線が無いか否かを問い合わせし、もし空きがあれば、上記ジョブのデータを当該ファクシミリ装置１２０に転送して上記ジョブを実行するように構成してもよい。もしくは、ファイルサーバ装置２０は、上記ジョブに関する画像データを電子メールに添付してメールサーバ装置５０及びインターネット９０を介して送信してもよい。すなわち、ＬＡＮ７０に接続されたどこかの装置に空き回線を用いてファクシミリ送信すればよい。
【００２６】
また、上記ジョブのデータがファイルサーバ装置２０に転送された時点で、そのジョブについては、図５に示すように、各クライアントパーソナルコンピュータ３０から変更処理（宛先の追加、削除、送信日時の変更、ジョブの削除など）が可能になる。
【００２７】
以上説明したように本実施形態に係るファクシミリ装置１２０によれば、主制御部２０１は、ファックスモデム２１０を用いて画像データを公衆電話回線Ｌ１０を介して所定の宛先にファクシミリ送信するジョブを実行し、当該ジョブを実行したときに、例えば１回乃至５回など所定回数だけ通信エラーとなり送信できないときに、上記画像データ及び上記宛先の情報を含むジョブのデータをＬＡＮ７０を介してファクシミリサーバ装置２０に転送し、ファクシミリサーバ装置２０に公衆電話回線Ｌ１０とは異なる公衆電話回線Ｌ又はインターネット９０を介して上記ジョブを実行させるように制御する。これにより、発生したファクシミリ装置においてユーザが指示することなく、ファクシミリ送信を異なる通信回線などを用いて実行できる。それ故、通信エラーを回避してファクシミリ送信できる可能性が高くなる。
【００２８】
＜変形例＞
以上の実施形態においては、ファクシミリサーバ装置２０の例について述べているが、本発明はこれに限らず、公衆電話網又は公衆デジタル回線網などの公衆網やインターネットに接続された、例えば電話機、データ通信装置、サーバ装置などを含む通信端末装置に適用することができる。
【図面の簡単な説明】
【００２９】
【図１】本発明に係る一実施形態である、ファクシミリ装置１２０−１乃至１２０−Ｍ、ファクシミリサーバ装置２０及びクライアントパーソナルコンピュータ３０−１乃至３０−Ｎを備えたファクシミリシステムの構成を示すブロック図である。
【図２】図１のクライアントパーソナルコンピュータ３０の構成を示すブロック図である。
【図３】図１のファクシミリサーバ装置２０の構成を示すブロック図である。
【図４】図１のファクシミリ装置１２０の構成を示すブロック図である。
【図５】図１のファクシミリシステムにおいて実行される通信エラー時のジョブデータ転送実行処理及びジョブ変更処理を示すシーケンス図である。
【符号の説明】
【００３０】
１…主制御部、
２…画像読取部、
３…画像記録部、
４…表示部、
５…操作部、
６…ＲＯＭ、
７…ＲＡＭ、
７ａ…ジョブテーブル、
８…画像メモリ、
１０…ファックスモデム、
１１…ＮＣＵ、
１２…ＬＡＮインターフェース、
１３…バス、
２０…ファクシミリサーバ装置、
３０，３０−１乃至３０−Ｎ…クライアントパーソナルコンピュータ、
５０…メールサーバ装置、
６０…ルータ装置、
８０…公衆電話網、
９０…インターネット、
１０１…主制御部、
１０２…画像読取部、
１０３…画像記録部、
１０４…表示部、
１０５…操作部、
１０６…ＲＯＭ、
１０７…ＲＡＭ、
１０８…ハードディスクドライブ、
１１２…ＬＡＮインターフェース、
１１３…バス、
１２０，１２０−１乃至１２０−Ｍ…ファクシミリ装置、
２０１…主制御部、
２０２…画像読取部、
２０３…画像記録部、
２０４…表示部、
２０５…操作部、
２０６…ＲＯＭ、
２０７…ＲＡＭ、
２０８…画像メモリ、
２１０…ファックスモデム、
２１１…ＮＣＵ、
２１２…ＬＡＮインターフェース、
２１３…バス、
Ｌ，Ｌ１０…公衆電話回線。
【図１】
2005191672.tif 000003
【図２】
2005191672.tif 000004
【図３】
2005191672.tif 000005
【図４】
2005191672.tif 000006
【図５】
2005191672.tif 000007